(57)【特許請求の範囲】
【請求項１】
互いに対向する前面および後面と、それら前面の周囲と後面の周囲とを接続する複数の側面とを有する筐体を備え、
前記筐体の前面はフロントカバーの前面部で構成され、
前記筐体の後面はリアカバーの後面部で構成され、
前記フロントカバーと前記リアカバーとの間にシャーシが配設された撮像装置であって、
前記複数の側面のうちの少なくとも１つの側面は、前後方向の幅と前記幅と直交する長さを有し、
前記１つの側面は、前記フロントカバーの前面部の縁部から後方に折り曲げられた側面部と、前記リアカバーの後面部の縁部から前方に折り曲げられその前端が前記フロントカバーの側面部の後端よりも後方に離れた側面部と、前記フロントカバーの側面部と前記リアカバーの側面部とにわたってそれらの上に配置されるサイドカバーとで構成され、
前記フロントカバーの側面部に前記１つの側面の長さ方向に間隔をおいて第１係合溝と第２係合溝とが設けられ、
前記リアカバーの側面部に前記１つの側面の長さ方向に間隔をおいて第３係合溝と第４係合溝とが設けられ、
前記シャーシが前記１つの側面に臨む箇所に前記第１係合溝と第３係合溝に係合し前記フロントカバーと前記リアカバーとが互いに離れる方向への移動を阻止する第１係合凸部が設けられ、
前記サイドカバーに前記第２係合溝と第４係合溝に係合し前記フロントカバーと前記リアカバーとを互いに近づく方向に変位させそれらフロントカバーとリアカバーを前記側面の幅方向において位置決めする第２係合凸部が設けられ、
前記第１係合凸部が前記第１係合溝と前記第３係合溝に係合し、かつ、前記第２係合凸部が前記第２係合溝と第４係合溝に係合した状態で前記サイドカバーがねじにより前記シャーシに締結されている、
ことを特徴とする撮像装置。
【請求項２】
前記第１係合溝と第３係合溝は、前記１つの側面の長さ方向において同一の箇所に位置し、
前記第２係合溝と第４係合溝は、前記１つの側面の長さ方向において同一の箇所に位置している、
ことを特徴とする請求項１記載の撮像装置。
【請求項３】
前記第１乃至第４係合溝により1組の係合溝が構成され、前記１組の係合溝は前記側面の長さ方向に間隔をおいて複数設けられている、
ことを特徴とする請求項１記載の撮像装置。
【請求項４】
前記第２係合溝に係合する前記第２係合凸部は、該第２係合凸部の後部に位置して後方に臨む後係合部を有し、
前記第４係合溝に係合する前記第２係合凸部は、該第２係合凸部の前部に位置して前方に臨む前係合部を有し、
前記第２係合凸部と前記第２係合溝との係合は、前記第２係合凸部が前記第２係合溝に挿入され、前記第２係合溝の後方に位置する縁と前記後係合部とが係合することで行なわれ、
前記第２係合凸部と前記第４係合溝との係合は、前記第２係合凸部が前記第４係合溝に挿入され、前記第２係合溝の前方に位置する縁と前記前係合部とが係合することで行なわれる、
ことを特徴とする請求項１記載の撮像装置。
【請求項５】
前記サイドカバーは前記シャーシに臨む内面と、前記内面と反対に位置する外面とを有し、
前記第２係合凸部は前記サイドカバーの内面に設けられ、
前記後係合部の前記内面から離れた先部には、先端に至るにつれて前方に変位するテーパ面が形成され、
前記前係合部の前記内面から離れた先部には、先端に至るにつれて後方に変位するテーパ面が形成されている、
ことを特徴とする請求項４記載の撮像装置。
【請求項６】
前記フロントカバーの前面部の縁部から後方に折り曲げられた側面部は、その前方に位置する前部と、その後方に位置し前記前部よりも前記筐体の内側に変位して前記第１係合溝と前記第２係合溝が設けられた後部とを有し、
前記リアカバーの後面部の縁部から前方に折り曲げられた側面部は、その後方に位置する後部と、その前方に位置し前記後部よりも前記筐体の内側に変位して前記第３係合溝と前記第４係合溝が設けられた前部とを有し、
前記サイドカバーは、前記フロントカバーの側面部の後部と、前記リアカバーの側面部の前部とにわたってそれらの上に配置され、
前記１つの側面は、前記フロントカバーの側面部の前部と、前記リアカバーの側面部の後部と、前記サイドカバーとで構成されている、
ことを特徴とする請求項１記載の撮像装置。
【請求項７】
前記ねじは、前記１つの側面の幅方向において、前記フロントカバーの前記側面部の後端と前記リアカバーの側面部の前端との間の箇所に設けられている、
ことを特徴とする請求項１記載の撮像装置。
【請求項８】
前記シャーシは薄板から形成され、前記シャーシは、前記前面および後面に平行する本体板部と、前記本体板部の縁から屈曲する屈曲板部とを有し、
前記第１係合凸部は前記屈曲板部に形成されている、
ことを特徴とする請求項１記載の撮像装置。
【請求項９】
前記第１係合溝に係合する前記第１係合凸部は、前記前面に向かってかつ前記屈曲板部の外方に向かって凸の湾曲状に突出形成された前湾曲部分と、前記前湾曲部分の後端から前記屈曲板部に向かい後方に臨む前係合部とで構成され、
前記第３係合溝に係合する前記第１係合凸部は、前記後面に向かってかつ前記屈曲板部の外方に向かって凸の湾曲状に突出形成された後湾曲部分と、前記後湾曲部分の前端から前記屈曲板部に向かう後係合部とで構成され、
前記第１係合凸部と前記第１係合溝との係合は、前記前湾曲部分と前記前係合部とが前記第１係合溝に挿入され、前記第１係合溝の後方に位置する縁と前記前係合部とが係合することで行なわれ、
前記第１係合凸部と前記第３係合溝との係合は、前記後湾曲部分と前記後係合部とが前記第３係合溝に挿入され、前記第１係合溝の前方に位置する縁と前記後係合部とが係合することで行なわれる、
ことを特徴とする請求項８記載の撮像装置。
【請求項１０】
前記筐体は、矩形板状を呈して互いに対向する左右の側面を有し、前記複数の側面のうちの少なくとも１つの側面は、前記左右の側面のうちの一方の側面を含んでいる、
ことを特徴とする請求項１記載の撮像装置。
【請求項１１】
前記筐体は、矩形板状を呈して互いに対向する左右の側面を有し、前記複数の側面のうちの少なくとも１つの側面は、前記左右の側面のうちの両方の側面を含んでいる、
ことを特徴とする請求項１記載の撮像装置。
【請求項１２】
前記第１係合凸部は前記第１係合溝および前記第３係合溝よりも前記側面の長さ方向において小さい寸法で形成され、かつ、前記第２係合凸部は前記第２係合溝および前記第４係合溝よりも前記側面の長さ方向において小さい寸法で形成され、
前記第１係合凸部が前記第１係合溝と前記第３係合溝に係合し、かつ、前記第２係合凸部が前記第２係合溝と前記第４係合溝に係合した状態で、前記サイドカバーは前記側面の長さ方向に微調整可能に配設される、
ことを特徴とする請求項１記載の撮像装置。
【発明の詳細な説明】
【技術分野】
【０００１】
本発明は撮像装置に関する。
【背景技術】
【０００２】
一般的に電子機器の筐体は複数のカバーをシャーシなどに組み付けることによって構成されている。
たとえば、前カバーと後カバーの２つのカバーを備え、それら前カバーと後カバーをシャーシにねじで締結した電子機器が提案されている（特許文献１参照）。
【特許文献１】特開２０００−２２３８６３号公報
【発明の開示】
【発明が解決しようとする課題】
【０００３】
ところで、デジタルスチルカメラなどの撮像装置では、塵埃の侵入を防止し、かつ、外観性を高めるために、カバーの間に生じる隙間を極力抑制することが必要である。
しかしながら、上述のように前カバー、後カバーをシャーシに対して精密に組み付ける作業は繁雑で手間がかかり、また、前カバー、後カバーをそれぞれシャーシにねじ止めする構造ではそれらカバーの間に生じる隙間を無くすことが難しいという不利があった。
本発明はこのような事情に鑑みなされたものであり、本発明の目的は、組み立て作業性の向上を図りつつ、外観性を高め、かつ、塵埃の筐体内部への侵入を防止する上で有利な撮像装置を提供することにある。
【課題を解決するための手段】
【０００４】
上述の目的を達成するため、本発明は、互いに対向する前面および後面と、それら前面の周囲と後面の周囲とを接続する複数の側面とを有する筐体を備え、前記筐体の前面はフロントカバーの前面部で構成され、前記筐体の後面はリアカバーの後面部で構成され、前記フロントカバーと前記リアカバーとの間にシャーシが配設された撮像装置であって、前記複数の側面のうちの少なくとも１つの側面は、前後方向の幅と前記幅と直交する長さを有し、前記１つの側面は、前記フロントカバーの前面部の縁部から後方に折り曲げられた側面部と、前記リアカバーの後面部の縁部から前方に折り曲げられその前端が前記フロントカバーの側面部の後端よりも後方に離れた側面部と、前記フロントカバーの側面部と前記リアカバーの側面部とにわたってそれらの上に配置されるサイドカバーとで構成され、前記フロントカバーの側面部に前記１つの側面の長さ方向に間隔をおいて第１係合溝と第２係合溝とが設けられ、前記リアカバーの側面部に前記１つの側面の長さ方向に間隔をおいて第３係合溝と第４係合溝とが設けられ、前記シャーシが前記１つの側面に臨む箇所に前記第１係合溝と第３係合溝に係合し前記フロントカバーと前記リアカバーとが互いに離れる方向への移動を阻止する第１係合凸部が設けられ、前記サイドカバーに前記第２係合溝と第４係合溝に係合し前記フロントカバーと前記リアカバーとを互いに近づく方向に変位させそれらフロントカバーとリアカバーを前記側面の幅方向において位置決めする第２係合凸部が設けられ、前記第１係合凸部が前記第１係合溝と前記第３係合溝に係合し、かつ、前記第２係合凸部が前記第２係合溝と第４係合溝に係合した状態で前記サイドカバーがねじにより前記シャーシに締結されていることを特徴とする。
【発明の効果】
【０００５】
本発明によれば、フロントカバーの第１係合溝とリアカバーの第３係合溝をシャーシの第１係合凸部に係合することでフロントカバーおよびリアカバーをシャーシに仮止めできるので、筐体の組み立て作業性の向上を図る上で有利となる。
また、サイドカバーの第２係合部をフロントカバーの第２係合溝とリアカバーの第４係合溝に係合することでフロントカバーとリアカバーとを位置決めでき、この状態でねじによりサイドカバーをシャーシに組み付けることができるので、フロントカバーおよびリアカバーとサイドカバーとの間に生じる隙間を抑制することができることは無論のこと、筐体の外観性を高め、塵埃の筐体内部への侵入を防止する上で有利となり、また、筐体の組み立て作業性の向上を図る上で有利となる。
【発明を実施するための最良の形態】
【０００６】
（第１の実施の形態）
次に本発明の第１の実施の形態について図面を参照して説明する。
図１は第１の実施の形態の撮像装置１０を前方から見た斜視図、図２（Ａ）は撮像装置１０を後方から見た斜視図、（Ｂ）は撮像装置１０にコネクタが装着された状態を示す斜視図、図３は撮像装置１０の構成を示すブロック図である。
図１に示すように、本実施の形態の撮像装置１０はデジタルスチルカメラであり、外装を構成する薄板状の筐体１２を有している。
筐体１２は、前後方向の厚さよりも大きな寸法の上下方向の高さと、上下方向の高さよりも大きな寸法の左右方向の幅を有している。
なお、本明細書において左右は、撮像装置１０を前方から見た状態でいうものとし、また、光学系の光軸方向で被写体側を前方といい、撮像素子側を後方という。
図１に示すように、筐体１２の前面右側部寄りの箇所には撮影光学系１４を収容保持する沈胴式の鏡筒１６が設けられている。
鏡筒１４は筐体１２の内部に組み込まれた駆動部１０８（図３参照）によって、図１に示すように、筐体１２の前面から前方に突出した使用位置（広角状態、望遠状態、および広角乃至望遠の中間状態）と、筐体１２に収容された収容位置（沈胴状態）との間を出没するように構成されている。
筐体１２の前面には、被写体に閃光を照射するフラッシュライト１６、オートフォーカス用の補助光およびセルフタイマーの動作状態を示す光を照射するＬＥＤランプ１８、光学式ビューファインダー装置を構成する対物レンズ２０が設けられている。
筐体１２の上端面には、シャッタボタン２２、ズームレバー２４、電源スイッチ２６、マイクロフォン２８が設けられている。
【０００７】
図２（Ａ）に示すように、筐体１２の後面には、撮像した映像や各種メニュー画面などを表示するディスプレイ３０、光学式ビューファインダー装置を構成する接眼窓３２、撮影モード、再生モードなどを切り換えるための操作ダイアル３４、撮影にまつわる種々の設定やメニュー画面の切り換えなどを行なうための十字操作ボタン３６、メニュー画面呼び出しなどの各種の操作を行うための複数の操作スイッチ３８、スピーカー４０が設けられている。
また、筐体１２の左側面の上部には、図２（Ａ）、（Ｂ）に示すように、撮像装置１０の外部に設けられた外部機器（不図示）の外部コネクタＣＮが装脱されるコネクタ収容室４２が設けられている。
コネクタ収容室４２の奥部には外部コネクタＣＮと電気的に接続される内部コネクタ１１４（図３参照）が設けられている。
さらに、図１０に示すように、筐体１２の下部左寄りの箇所には、バッテリー５８（図１５、図１６参照）が収容されるバッテリー収容室６０が設けられている。
【０００８】
図３に示すように、撮像装置１０は、鏡筒１６の後端部分に配設され撮影光学系１４によって結像された被写体像を撮像するＣＣＤやＣＭＯＳセンサなどで構成された撮像素子１０２、該撮像素子１０２から出力された撮像信号に基づいて画像データを生成し、メモリカードなどの記憶媒体１１２に記録する画像処理部１０４、前記画像データをディスプレイ３０に表示させる表示制御部１０６、鏡筒１６の出没動作、ズーミング動作などを行う駆動部１０８、上述したシャッタボタン２２、ズームレバー２４、操作ダイアル３４、十字操作ボタン３６、操作スイッチ３８の操作に応じて画像処理部１０４、表示制御部１０６、駆動部１０８を制御するＣＰＵを含む制御部１１０などを備えている。
また、撮像装置１０には、外部コネクタＣＮから内部コネクタ１１４を介して入力される直流電源を所定の電圧および電流に調整し、撮像素子１０２、画像処理部１０４、表示制御部１０６、駆動部１０８、制御部１１０などに供給する電源部１１６が設けられている。
【０００９】
図４、図５は開閉蓋４６の取り付け構造を示す分解斜視図、図６（Ａ）は開閉蓋４６の閉塞状態を示す斜視図、（Ｂ）は開閉蓋４６の開放状態を示す斜視図、図７は開閉蓋４６の閉塞状態と第１の開放状態を示す図、図８は開閉蓋４６の閉塞状態と第２の開放状態を示す図である。
コネクタ収容室４２は、筐体１２で支持された支軸４４を支点に揺動する開閉蓋４６により開閉され、次にこの開閉構造について説明する。
図４、図６、図７、図８に示すように、筐体１２の左側面の箇所に、コネクタ収容室４２の周囲に延在する外方に開放状の凹部４８が設けられ、凹部４８は、底壁４８０２と、底壁４８０２の周囲から起立する側壁４８０４とを備えている。
コネクタ収容室４２の下方に位置する底壁４８０２の両側箇所には、それぞれ溝状の軸受部５０が設けられ、さらに両軸受部５０の間に位置する底壁４８０２箇所には開閉蓋４６の基部が収容される基部収容用凹部４８０６が設けられている。
また、コネクタ収容室４２の前後に位置する底壁４８０２箇所には、それぞれ係合凹部４８０８が設けられている。
また、コネクタ収容室４２の上方に位置する側壁４８０４の先部には、指掛け用の凹部４８１０が設けられている。
さらに、図７、図８に示すように、コネクタ収容室４２の下方に位置する側壁４８０４の先部には、筐体側突起５２が設けられている。
筐体側突起５２が凹部４８に臨む面には、案内面５２０２が形成されている。
【００１０】
図４、図５に示すように、支軸４４は、その長手方向の両端に位置する第１軸部４４０２と、それら第１軸部４４０２の間に設けられ第１軸部４４０２の延在方向と直交する方向に離間しかつ第１軸部４４０２と平行に延在する第２の軸部４４０４とを有している。
支軸４４は、その両端の第１軸部４４０２が軸受部５０に回転可能に装着されることで配設されている。
また、図７に示すように、第２の軸部４４０４は、第１軸部４４０２よりもコネクタ収容室４２から離れかつ凹部４８の底壁４８０２に近接した第１の位置（イ）に位置できるように配設され、また、図８に示すように、第２の軸部４４０４は、凹部４８の底壁４８０２から最も離れた第２の位置（ロ）に位置できるように配設されている。
【００１１】
開閉蓋４６は、凹部４８の輪郭に対応した形状の矩形に形成され、開閉蓋４６によりコネクタ収容室４２を閉塞する際に同時に凹部４８も閉塞するようにしている。
図７、図８に示すように、開閉蓋４６は、凹部４８とともにコネクタ収容室４２を閉塞した際に凹部４８の底壁４８０２に臨む裏面４６０２と外部に臨む表面４６０４とを有している。
図５に示すように、裏面４６０２の一側には、第２の軸部４４０４が回転可能に装着される溝状の軸受部５４が設けられ、開閉蓋４６はこの軸受部５４に第２の軸部４４０４が回転可能に装着されることで筐体１２に配設されている。
図７、図８に示すように、開閉蓋４６は、第２の軸部４４０４により支持される箇所が基部４６１０となり、基部４６１０から最も離れた箇所が自由端４６１２となり、自由端４６１２に位置する表面４６０４の箇所には指掛け用の突起４６０６が設けられ、この突起４６０６は、開閉蓋４６でコネクタ収容室４２を閉塞した際に、指掛け用の凹部４８１０に臨む箇所に位置する。
また、図５に示すように、裏面４６０２の両側箇所には、係合凹部４８０８に係脱する係合凸部４６０８が設けられている。
さらに、自由端４６１２と反対に位置する基部４６１０の端部には、案内面５２０２に係合可能な開閉蓋側突起５６が設けられている。
【００１２】
開閉蓋４６は、第２の軸部４４０４が第１の位置（イ）に位置した状態で第２の軸部４４０４を支点として自由端４６１２が揺動することで図７に示すように凹部４８とともにコネクタ収容室４２を開閉するように設けられ、凹部４８とともにコネクタ収容室４２を閉塞した状態で、係合凹部４８０８に係合凸部４６０８が係合し、開閉蓋４６によるコネクタ収容室４２の閉塞状態が形成されるように構成されている。
この閉塞状態で、開閉蓋側突起５６は筐体側突起５２の内側に位置し、言い換えると、開閉蓋側突起５６は筐体側突起５２で覆われ、したがって、凹部４８内に位置する支点を中心に開閉蓋４６が揺動するにも拘わらず、開閉蓋４６と凹部４８との間に大きな隙間を生じることなくコネクタ収容室４２の閉塞状態が形成される。
また、この閉塞状態で、図６（Ａ）に示すように、開閉蓋４６の表面４６０４と筐体１２の左側面とが同一面上に位置する。
また、図７に示すように、コネクタ収容室４２が閉塞される際に、開閉蓋側突起５６が案内面５２０２により閉じる方向に案内され、開閉蓋４６の閉塞動が円滑に行なわれるように図られる。
【００１３】
また、図７に示すように、第２の軸部４４０４が第１の位置（イ）に位置した状態で開閉蓋４６がコネクタ収容室４２から離れる方向に開き、開閉蓋４６が底壁４８０２に対して直交する方向に延在する第１の開放状態（ハ）が形成される。
また、開閉蓋４６を引き出すと第２の軸部４４０４は第１軸部４４０２を中心に回転し、図８に示すように、第２の軸部４４０４は第２の位置（ロ）に位置し、この状態で開閉蓋４６を第１の開放状態（ハ）よりもコネクタ収容室４２から離れる方向に大きく開かせることができ、図８に想像線で示すように、筐体１２の左側面上に倒れた第２の開放状態（ニ）が形成される。
【００１４】
上述のように開閉蓋４６の開閉構造を構成した場合には、次のような利点がある。
第２の軸部４４０４が第１の位置（イ）に位置した状態で、開閉蓋４６の揺動によりコネクタ収容室４２の開閉がなされる。
そして、コネクタ収容室４２の閉塞状態で、開閉蓋側突起５６が筐体側突起５２で覆われ、したがって、凹部４８の全周にわたり開閉蓋４６により凹部４８が隙間無く閉塞され、これによりコネクタ収容室４２が閉塞されることになる。また、開閉蓋４６の表面４６０４と筐体１２の左側面とが同一平面上に位置し、外観性を高める上で有利となる。
また、コネクタ収容室４２の開放状態で、開閉蓋４６はコネクタ収容室４２から離れ、コネクタ収容室４２での外部コネクタＣＮの装脱が支障なく行なわれる。
また、コネクタ収容室４２が閉塞される際に、開閉蓋側突起５６が案内面５２０２により閉じる方向に案内されるので、第２の軸部４４０４が第１の位置（イ）と第２の位置（ロ）との間で移動できるにも拘わらず、開閉蓋４６の閉塞動を円滑に確実に行う上で有利となる。
また、開放時に開閉蓋４６を底壁４８０２から離れる方向に引っ張ると、第２の軸部４４０４は第１の位置（イ）から第２の位置（ロ）に移動し、この状態で開閉蓋４６を開放方向に揺動させることで、コネクタ収容室４２から大きく離れた第２の開放状態（ニ）が形成される。したがって、開閉蓋４６を第２の開放状態（ニ）にすると、コネクタ収容室４２での外部コネクタＣＮの装脱をより円滑に行なう上で有利となる。
さらに、このように開閉蓋４６を揺動させることでコネクタ収容室４２を開閉するので、開閉蓋４６をエラストマーなどの弾性材料で形成する必要がなく、開閉蓋４６を筐体１２と同一の材料であるいは似たような材料で形成でき、外観性を高める上で有利となり、また、開閉蓋の部分をコネクタ収容室近傍の角部に配置する必要がなくなり、コネクタ収容室４２のレイアウト上も有利となる。
【００１５】
次に、直線状に延在する支軸４４を用いた図９の比較例を参照してさらに説明する。
図９（Ａ）に示す第１の比較例は、筐体１２に設けられた支軸４４に開閉蓋４６の軸受部５４が回転可能に装着されたものである。
この第１の比較例では、支軸４４が筐体１２の外面近傍に配置されているために、開閉蓋４６の軸受部５４が筐体１２の外方に突出してしまい、筐体１２の外観性が低下する不利がある。
これに比較して、上述のように構成した場合には、コネクタ収容室４２の閉塞状態で、開閉蓋４６の表面４６０４と筐体１２の外面とが同一面に位置するため外観性を高める上で有利となる。
【００１６】
図９（Ｂ）に示す第２の比較例は、第１の比較例に比べて軸受部５４を筐体１２の内方寄りの箇所に配置したものである。
この第２の比較例では、軸受部５４が筐体１２の表面から突出しないが、軸受部５４と、軸受部５４に臨む筐体１２の縁部との隙間が大きくなるため、筐体１２の外観性が低下する不利がある。
これに比較して、上述のように構成した場合には、コネクタ収容室４２の閉塞状態で、開閉蓋側突起５６が筐体側突起５２で覆われ、凹部４８の全周にわたり開閉蓋４６により隙間無く閉塞されるため、外観性を高める上で有利となる。
【００１７】
図９（Ｃ）に示す第３の比較例は、支軸４４が挿通される軸受部５４の孔を長孔５４０１とすることで、開閉蓋４６を長孔５４０１の延在方向に沿ってスライドさせつつ開閉蓋４６の開閉を行なうものである。
この第３の比較例では、軸受部５４が筐体１２の表面から突出せず、開閉蓋５４と筐体１２の縁部との隙間も小さくできるが、開閉時に開閉蓋４６をスライドさせなくてはならないことから操作が繁雑であり、また、開閉蓋４６をスライド可能とすることからその配置場所が角部を含む筐体１２の箇所に限定されコネクタ収容室４２の設計の自由度を確保する上で不利がある。
これに比較して、上述のように構成した場合には、開閉蓋４６を揺動させる構成であるため、開閉時の操作性を高める上で有利であり、また、コネクタ収容室４２の配置場所の制約がなく設計の自由度を高める上で有利となる。
【００１８】
次に、バッテリー収容室６０およびバッテリー押し出しばね６２について説明する。
図１０は撮像装置１０のバッテリー収容室６０近傍の斜視図、図１１は図１０のＡＡ線断面図、図１２、図１３はバッテリー押し出しばね６２の組み付け構造を示す斜視図、図１４（Ａ）はバッテリー押し出しばね６２の斜視図、（Ｂ）は（Ａ）のＢ矢視図、（Ｃ）は（Ｂ）のＣ矢視図、（Ｄ）は（Ｂ）のＤ矢視図、（Ｅ）は（Ｄ）のＥ矢視図である。
図１５はバッテリー収容室６０にバッテリー５８が挿入される途中の状態を示す斜視図、図１６はバッテリー収容室６０にバッテリー５８が収納された状態を示す説明図である。
図１７（Ａ）乃至（Ｃ）はバッテリー押し出しばね６２の変位を示す説明図である。
【００１９】
バッテリー５８は、図１５に示すように、厚さと、この厚さよりも大きな寸法の幅および長さを有し、矩形板状に形成されている。
バッテリー５８の長さ方向の一方の面である前端面５８０２の幅方向の半部には、２つの電源供給用の端子と、１つの通信用の端子との３つの端子５８０４が幅方向に間隔をおいて並べて設けられ、残りの半部は平坦面として形成されている。
バッテリー５８の長さ方向の他方の面である後端面（不図示）は平坦面として形成されている。
【００２０】
バッテリー収容室６０は、バッテリー５８の厚さ、幅、長さに対応した高さ、幅、奥行きを有し、したがって、バッテリー収容室６０は高さとこの高さよりも大きな寸法の幅と奥行きを有している。
そして、バッテリー収容室６０はその高さが筐体１２の厚さと同じ向きになるように設けられている。
【００２１】
図１１に示すように、筐体１２は、筐体１２の前面を構成するフロントカバー６４と、フロントカバー６４と連結され筐体１２の後面を構成するリアカバー６６と、左右のサイドカバー８０、８１と、リアカバー６６の内面に沿って延在形成された金属製で薄板状のシャーシ６８とを備え、したがって、シャーシ６８は筐体１２の高さ方向および幅方向に延在している。
本実施の形態では、シャーシ６８はステンレス鋼板で形成されている。
そして、シャーシ６８とフロントカバー６４の間に、鏡筒１６と、合成樹脂製のハウジング７０が設けられている。
図１２に示すように、ハウジング７０は、バッテリー収容室６０の高さ方向の一方の面をなしバッテリー収容室６０の幅と奥行きを有する底壁７００２と、底壁７００２の幅方向の両側から起立する側壁７００４と、底壁７００２の奥行き方向の一方の端部から起立する奥部壁７００６と、底壁７００２の奥行き方向の他方の端部から起立する端壁７００８（図１０参照）とを有している。
図１１に示すように、シャーシ６８と底壁７００２が平行に対向し、かつ、両側の側壁７００４の先端と奥部壁７００６の先端とがシャーシ６８に臨み、さらに、端壁７００８が筐体１２の下面に位置するように、シャーシ６８とハウジング７０とが筐体１２の厚さ方向に並べられて配設され、したがって、バッテリー収容室６０はシャーシ６８とハウジング７０とにより形成されている。
【００２２】
図１４（Ａ）乃至（Ｅ）に示すように、バッテリー押し出しばね６２は、直線状に延在する支軸６２０２と、支軸６２０２の一方の端部６２０２Ａに設けられた係止軸６２０４と、支軸６２０２の他方の端部６２０２Ｂに設けられた付勢用軸６２０６とを備えている。
このバッテリー押し出しばね６２は、係止軸６２０４により支軸６２０２の一方の端部６２０２Ａの回転が阻止された状態で用いられ、付勢用軸６２０６が支軸６２０２を支点に揺動することで支軸６２０２の他方の端部６２０２Ｂが回転し、これにより、支軸６２０２のねじれによりその付勢力が付勢用軸６２０６に作用するトーションばね（ねじりばね）である。
付勢用軸６２０６の先部は、該付勢用軸６２０６が支軸６２０２を中心として揺動する仮想平面内で湾曲状に延在形成された湾曲部６２０６Ａとして形成され、バッテリー５８の平坦面の損傷の防止が図られている。
係止軸６２０４の先部は、前記仮想平面と直交する別の仮想平面内で湾曲状に延在形成された湾曲部６２０４Ａとして形成され、支軸６２０２の一方の端部６２０２Ａの回転を確実に阻止できるように図られている。
【００２３】
図１２に示すように、筐体１２の左側壁７００４から離れた奥部壁７００６の幅方向の半部には、バッテリー５８の３つの端子５８０４に接続する３つの端子７０１０が設けられている。
また、筐体１２の左の側壁７００４寄りの奥部壁７００６の幅方向の半部でシャーシ６８に臨む端部（バッテリー収容室６０の高さ方向の一方の端部寄りの箇所）には、支軸６２０２が挿入される支軸収容溝７０１２がバッテリー収容室６０の幅方向に沿って直線状に延在形成されている。
支軸収容溝７０１２の延在方向の一方の端部７０１２Ａは、バッテリー収容室６０の幅方向の中央に位置し、支軸収容溝７０１２の延在方向の他方の端部７０１２Ｂは右側の側壁７００４の近傍箇所に位置している。
さらに、支軸収容溝７０１２の延在方向の他方の端部７０１２Ｂに接続するように、支軸収容溝７０１２の延在方向と直交する方向であるバッテリー収容室６０の奥行き方向に延在する係止軸収容溝７０１４が設けられている。図１２乃至図１６に示すように、係止軸収容溝７０１４はバッテリー収容室６０の奥部で幅方向の端部の角部寄りの箇所に設けられている。
また、底壁７００２の中央で奥部壁７００６寄りの箇所に、付勢用軸６２０６の揺動ストロークを大きく確保するための切り欠き７０１６が設けられている。
【００２４】
図１０に示すように、端壁７００８には、バッテリー装脱用の開口７２が設けられ、また、底壁７００２を挟んで開口７２と反対の箇所にメモリカード用装脱口７４が設けられている。
バッテリー収容室６０が筐体１２の下面に臨む箇所には、開口７２を開閉する蓋体７６がヒンジ７６０２を介して揺動可能に取着されている。なお、蓋体７６によってバッテリー収容室６０を閉塞した閉塞状態を保持するロック機構が設けられ、ロック機構による蓋体７６のロックを解除することで蓋体７６の開放が許容され、このようなロック機構として従来公知の様々な構造が採用可能である。
また、開口７２に臨むハウジング７０箇所には、係合爪７８が開口７２内に出没可能で突出する方向に付勢して設けられ、バッテリー収容室６０に収容されたバッテリー５８の後端面に係合爪７８が係合することで、バッテリー５８のバッテリー収容室６０への収容状態が保持され、係合爪７８が退避してバッテリー収容室６０に収容されたバッテリー５８の後端面との係合が解除されることにより、バッテリー５８の取り出しが可能となっており、係合爪７８の開口７２外への退避はユーザーの指により行われる。
【００２５】
次に、バッテリー押し出しばね６２の配設について説明する。
図１２、図１３に示すように、支軸６２０２は支軸収容溝７０１２に収容され、これにより支軸６２０２はバッテリー収容室６０の奥部で該バッテリー収容室６０の幅方向に延在するように配設される。
係止軸６２０４は、その湾曲部６２０４Ａが係止軸収容溝７０１４に収容され、付勢用軸６２０６が揺動した際に支軸６２０２の一方の端部６２０２Ａの回転を阻止するように配設される。湾曲部６２０４Ａを含む係止軸６２０４は、バッテリー収容室６０の高さ方向と直交する仮想平面上を延在する。
このような支軸６２０２と係止軸６２０４の配設により、付勢用軸６２０６はバッテリー収容室６０の奥部で幅方向の中央に位置し、その先部の湾曲部６２０６Ａが該バッテリー収容室６０に収容されるバッテリー５８の前端面５８０２に係合可能に配設されることになる。湾曲部６２０６Ａを含む付勢用軸６２０６はバッテリー収容室６０の幅方向に対して直交する仮想平面上を延在する。
【００２６】
次に、バッテリー押し出しばね６２の作用について説明する。
図１５、図１７（Ａ）に示すように、バッテリー収容室６０にバッテリー５８が挿入されると、やがて、図１７（Ｂ）に示すように、バッテリー５８の前端面５８０２に付勢用軸６２０６の湾曲部６２０６Ａが当接し、さらにバッテリー５８が挿入されることで付勢用軸６２０６は支軸６２０２を中心として揺動する。
やがて、図１６、図１７（Ｃ）に示すように、バッテリー５８が完全に装着された状態で、付勢用軸６２０６の湾曲部６２０６Ａの半部は切り欠き７０１６からバッテリー収容室６０の外方に変位する。
したがって、係止軸６２０４により支軸６２０２の一方の端部６２０２Ａの回転が阻止されており、また、付勢用軸６２０６により支軸６２０２の他方の端部６２０２Ｂが回転変位されているので、支軸６２０２のねじれによりその付勢力が付勢用軸６２０６の湾曲部６２０６Ａからバッテリー５８に作用し、バッテリー５８は開口７２から突出する方向に常時付勢されることになる。
したがって、蓋体７６を開き、係合爪７８を開口７２外にスライドさせることで、バッテリー５８は開口７２から突出する。
【００２７】
上述のようにバッテリー押し出しばね６２を構成した場合には、次のような利点がある。
バッテリー押し出しばね６２は、付勢用軸６２０６が支軸６２０２を支点として揺動し、付勢用軸６２０６は、バッテリー５８が装脱される方向に沿って大きなストロークで変位するので、従来の圧縮コイルばねを用いる場合に比べて、バッテリー５８が装脱される方向に大きなスペースを要することなくバッテリー押し出しばね６２を配設でき、バッテリー収容室６０の小型化を図る上で有利となる。
また、バッテリー押し出しばね６２は、支軸６２０２が支軸収容溝７０１２で支持され、係止軸６２０４が係止軸収容溝７０１４に係止されているので、バッテリー５８を開口７２から突出させる方向に付勢するバッテリー押し出しばね６２の反力は、主として係止軸収容溝７０１４で受けるものの支軸収容溝７０１２と係止軸収容溝７０１４とに分散して作用しており、従来のように、ハウジング７０の奥部壁７００６に局所的に作用することはない。したがって、クリープなどを考慮することなく、また、壁部の肉厚を厚くしたり、あるいは、壁部として高強度な材料を用いることなく合成樹脂製のハウジングを使用でき、このような強度的な制約を受けることなく、バッテリー収容室を設計することが可能となる。
【００２８】
また係止軸収容溝７０１４は、ハウジング７０の角部に位置しており、角部は奥部壁７００６と左の側壁７００４とが交差する箇所でもともと剛性が高い箇所であるので、係止軸収容溝７０１４を強固な構造にでき、係止軸６２０４を確実に係止し支軸６２０２の一方の端部６２０２Ａの回転を確実に阻止することができる。
また、特に、撮像装置においては、バッテリー収容室の奥部壁には、バッテリーの端子に接続される端子の他に、部品を取り付けるためのボスなどの構造が設けられることが多いため、スペースが狭く、占有スペースが大きな圧縮コイルばねを用いると、バッテリー収容室の小型化を図る上で不利があるのに対して、バッテリー押し出しばね６２をトーションばねとすると、占有スペースが少なくて済み、撮像装置のバッテリー収容室の小型化を図る上で格段に有利となる。
また、バッテリー収容部６０の奥部の幅方向の中央から一側寄りに３つの端子７０１０が配設され、奥部の幅方向の残りの部分がデッドスペースになっており、このデッドスペースにバッテリー押し出しばね６２を配置したので、バッテリー収容室６０および撮像装置１０の小型化を図る上でより有利となる。
【００２９】
次に、本発明に係る筐体１２の構造について詳細に説明する。
図１８はフロントカバー６４、リアカバー６６、サイドカバー８０が取り付けられる前の状態を示す撮像装置１０の斜視図、図１９は図１８の要部拡大斜視図である。
図２０はシャーシ６８にフロントカバー６４、リアカバー６６が仮止めされた状態を左側方から見た斜視図、図２１は図１９の要部拡大斜視図である。
図２２はシャーシ６８にフロントカバー６４、リアカバー６６が仮止めされた状態を右側方から見た斜視図である。
図２３はシャーシ６８にフロントカバー６４、リアカバー６６、サイドカバー８０が取り付けられた状態を示す斜視図である。
図２４は図２３をＡＡ線で破断した状態を示す図、図２５は図２３をＢＢ線で破断した状態を示す図である。
図２６はシャーシ６８にフロントカバー６４、リアカバー６６が仮止めされた状態を示す断面図、図２７はシャーシ６８にサイドカバー８０が取り付けられた状態を示す断面図である。
【００３０】
図１、図２に示すように、筐体１２は、フロントカバー６４、リアカバー６６、サイドカバー８０、８１を含んで構成されている。
筐体１２は、互いに対向する前面１２０２および後面１２０４と、それら前面１２０２の周囲と後面１２０４の周囲とを接続する複数の側面とを有している。本実施の形態では、複数の側面は、上端面１２０６、下端面１２０８、左右の側面１２１０である。
前面１２０２は、フロントカバー６４の前面部６４０２で構成され、後面１２０４はリアカバー６６の後面部６６０２で構成されている。
【００３１】
図２３に示すように、フロントカバー６４の前面部６４０２は矩形状に形成され、前面部６４０２の上下左右の縁部からそれぞれ後方に４つの側面部６４０４が折り曲げられ、前面部６４０２に鏡筒１６が出没する鏡筒用開口６４０６が形成されている。
図２０、図２１、図２２に示すように、フロントカバー６４の左右の側面部６４０４に第１係合溝８２と第２係合溝８４とが設けられている。第１係合溝８２と第２係合溝８４は左右の側面部６４０４の延在方向に間隔をおいて設けられ、それぞれ上下に縦長の矩形状に形成されている。
図２０に示すように、左側面部６４０４においては、第１係合溝８２と第２係合溝８４は、左側面部６４０４の延在方向の両端部である上下部にそれぞれ設けられ、図２２に示すように、右側面部６４０４においては、第１係合溝８２と第２係合溝８４は、右側面部６４０４の延在方向の端部である上部に設けられている。
本実施の形態では、図２６、図２７に示すように、左右の側面部６４０４は、その前方に位置する前部６４０４Ａと、その後方に位置し前部６４０４Ａよりも筐体１２の内側に変位する後部６４０４Ｂとを有し、第１係合溝８２と第２係合溝８４は後部６４０４Ｂに設けられている。
【００３２】
図２３に示すように、リアカバー６６の後面部６６０２は矩形状に形成され、後面部６６０２の上下左右の縁部からそれぞれ前方に４つの側面部６６０４が折り曲げられ、図２に示すように、後面部６６０２にディスプレイ３０を後方に臨ませるディスプレイ用開口６６０６が形成されている。
図２０、図２１に示すように、リアカバー６６の左右の側面部６６０４に第３係合溝８６と第４係合溝８８とが設けられている。第３係合溝８６と第４係合溝８８は左右の側面部６４０４の延在方向に間隔をおいて設けられ、それぞれ上下に縦長の矩形状に形成されている。
図２０に示すように、左側面部６６０４においては、第３係合溝８６と第４係合溝８８は、左側面部６６０４の延在方向の両端部である上下部にそれぞれ設けられ、図２２に示すように、右側面部６６０４においては、右側面部６６０４の延在方向の端部である上部に設けられている。
本実施の形態では、図２６、図２７に示すように、左右の側面部６６０４は、その後方に位置する後部６６０４Ａと、その前方に位置し後部６６０４Ａよりも筐体１２の内側に変位する前部６６０４Ｂとを有し、第３係合溝８６と第４係合溝８８は前部６６０４Ｂに設けられている。
【００３３】
図１８、図１９、図２２、図２６、図２７に示すように、シャーシ６８は、リアカバー６６の後面部６６０２の輪郭よりも一回り小さい輪郭の矩形板状を呈する本体板部６８０２を有し、本体板部６８０２は後面部６６０２に平行し後面部６６０２の前方箇所に配置されている。
本体板部６８０２の左右の両縁部から前方に２つの屈曲板部６８０４が折り曲げられている。
各屈曲板部６８０４には、第１係合溝８２と第３係合溝８６にそれぞれ係合しフロントカバー６４とリアカバー６６とが互いに離れる方向への移動を阻止する２つの第１係合凸部９０が左右の側面１２１０の幅方向（前後方向）に間隔をおいて設けられている。
本実施の形態では、左側面１２１０において、第１係合溝８２と第３係合溝８６はその長さ方向（上下方向）に同一の箇所に設けられ、右側面１２１０において、第１係合溝８２と第３係合溝８６はその長さ方向（上下方向）に同一の箇所に設けられている。
また、本体板部６８０２の左側縁部から折り曲げられた屈曲板部６８０４には、２つの第１係合凸部９０が、左側面１２１０の長さ方向（上下方向）に間隔をおいてそれぞれ設けられ、第１係合凸部９０は合計４つ設けられている。
また、本体板部６８０２の右側縁部から折り曲げられた屈曲板部６８０４には、２つの第１係合凸部９０が、左側面１２１０の上部に１つずつ設けられている。
なお、図１９乃至図２１において符号１３はシャーシ６８に設けられた吊り紐（ストラップ）取り付け用の金具である。
【００３４】
図２６に示すように、第１係合溝８２に係合する第１係合凸部９０は、前面１２０２に向かってかつ屈曲板部６８０４の外方に向かって凸の湾曲状に突出形成された前湾曲部分９００２と、前湾曲部分９００２の後端から屈曲板部６８０４に向かい後方に臨む前係合部９００４とで構成されている。
第３係合溝８６に係合する第１係合凸部９０は、後面１２０４に向かってかつ屈曲板部６８０４の外方に向かって凸の湾曲状に突出形成された後湾曲部分９００６と、後湾曲部分９００６の前端から屈曲板部６８０４に向かう後係合部９００８とで構成されている。
第１係合凸部９０と第１係合溝８２との係合は、前湾曲部分９００２と前係合部９００４とが第１係合溝８２に挿入され、第１係合溝８２の後方に位置する縁と前係合部９００４とが係合することで行なわれる。
第１係合凸部９０と第３係合溝８６との係合は、後湾曲部分９００６と後係合部９００８とが第３係合溝８６に挿入され、第１係合溝８２の前方に位置する縁と後係合部９００８とが係合することで行なわれる。
そして、前湾曲部分９００２と後湾曲部分９００６とにより、フロントカバー６４を後方に押し込むことで、また、リアカバー６６を前方に押し込むことで、フロントカバー６４およびリアカバー６６の左右の側面部６４０４、６６０４がそれら第１係合凸部９０を乗り越え、第１係合凸部９０と第１係合溝８２との係合および第１係合凸部９０と第３係合溝８６との係合が、より円滑に行なわれるように図られている。
また、左右の屈曲板部６８０４には、その幅方向の中央にサイドカバー８０取り付け用のねじ孔６８０６が設けられ、本実施の形態では、左側の屈曲板部６８０４にはねじ孔６８０６が上下に間隔をおいて２つ設けられ、右側の屈曲板部６８０４にはねじ孔６８０６が上部に１つ設けられている。
【００３５】
図２０、図２２に示すように、サイドカバー８０、８１は上下に縦長の矩形板状を呈し、フロントカバー６４の左右の側面部６４０４およびリアカバー６６の左右の側面部６６０４上にそれぞれ配置され、シャーシ６８に取り付けられている。より詳細には、図２４、図２５、図２７に示すように、サイドカバー８０、８１は、フロントカバー６４の側面部６４０４の後部６４０４Ｂと、リアカバー６６の側面部６６０４の前部６６０４Ｂとにわたってそれらの上に配置され、図２に示すように、左側面１２１０は、フロントカバー６４の側面部６４０４の前部６４０４Ａと、リアカバー６６の側面部６６０４の後部６６０４Ａと、サイドカバー８０と、コネクタ収容室４２の開閉蓋４６で構成され、図１に示すように、右側面１２１０は、フロントカバー６４の側面部６４０４の前部６４０４Ａと、リアカバー６６の側面部６６０４の後部６６０４Ａと、サイドカバー８１とで構成されている。
サイドカバー８０、８１はシャーシ６８に臨む内面と、この内面の反対側に位置する外面とを有している。
サイドカバー８０、８１の内面には、第２係合溝８４と第４係合溝８８に係合しフロントカバー６４とリアカバー６６とを互いに近づく方向に変位させ、フロントカバー６４、リアカバー６６をサイドカバー８０、８１の幅方向において（前後方向において）位置決めする第２係合凸部９２が設けられている。
筐体１２の左側面１２１０に配置されるサイドカバー８０の内面には、第２係合凸部９２が、左側面１２１０の第２係合溝８４と第４係合溝８８に対応して上下に設けられている。
また、筐体１２の右側面１２１０に配置されるサイドカバー８１の内面には、第２係合凸部９２が、右側面１２１０の第２係合溝８４と第４係合溝８８に対応して上部に設けられている。
筐体１２の左側面１２１０に配置されるサイドカバー８０の上下部には、前記の各ねじ孔６８０６に対応して２つのねじ挿通孔８００２が貫通形成され、また、筐体１２の右側面１２１０に配置されるサイドカバー８１の上部には、前記のねじ孔６８０６に対応して１つのねじ挿通孔８００２が貫通形成されている。
なお、図１、図２３に示すように、筐体１２の左側面１２１０に配置されるサイドカバー８０は２つのねじ挿通孔８００２に挿通されるねじ９４で締結されることで組み付けられ、図２、図２２に示すように、筐体１２の右側面１２１０に配置されるサイドカバー８１は、その下部がサイドカバー８１の下端の内面の突起８１０２がシャーシ６８の溝６８１０に係合され、その上部がねじ挿通孔８００２に挿通されるねじ９４で締結されることで組み付けられる。
【００３６】
図２７に示すように、第２係合溝８４に係合する第２係合凸部９２は、該第２係合凸部９２の後部に位置して後方に臨む後係合部９２０２を有している。
第４係合溝８８に係合する第２係合凸部９２は、該第２係合凸部９２の前部に位置して前方に臨む前係合部９２０６を有している。
第２係合凸部９２と第２係合溝８４との係合は、第２係合凸部９２が第２係合溝８４に挿入され、第２係合溝８４の後方に位置する縁と後係合部９２０２とが係合することで行なわれる。
また、第２係合凸部９２と第４係合溝８８との係合は、第２係合凸部９２が第４係合溝８８に挿入され、第２係合溝８４の前方に位置する縁と前係合部９２０６とが係合することで行なわれる。
後係合部９２０２の内面から離れた先部には、先端に至るにつれて前方に変位するテーパ面９２０４が形成され、また、前係合部９２０６の内面から離れた先部には、先端に至るにつれて後方に変位するテーパ面９２０８が形成され、これらテーパ面９２０４、９２０８によりフロントカバー６４とリアカバー６６とを互いに近づく方向に変位させ、サイドカバー８０、８１の組み付けが円滑になされるように図られている。
【００３７】
次に、シャーシ６８に対するフロントカバー６４、リアカバー６６、サイドカバー８０、８１の取り付けについて説明する。
フロントカバー６４の左右の側面部６４０４の第１係合溝８２とリアカバー６６の左右の側面部６６０４の第３係合溝８６をシャーシ６８の第１係合凸部９０に係合し、フロントカバー６４およびリアカバー６６をシャーシ６８に仮止めする。
次に、サイドカバー８０、８１の第２係合凸部９２をフロントカバー６４の第２係合溝８４とリアカバー６６の第４係合溝８８に係合させ、フロントカバー６４、リアカバー６６をサイドカバー８０、８１の幅方向において（前後方向において）位置決めする。
次に、ねじ挿通孔８００２に挿通したねじ９４をシャーシ６４のねじ孔６８０６に締結してサイドカバー８０、８１をシャーシ６４に組み付ける。
なお、本実施の形態では、第１係合凸部９０の上下長さは、第１係合溝８２および第３係合溝８６よりも短く形成され、第２係合凸部９２の上下長さは、第２係合溝８４および第４係合溝８８よりも短く形成され、第１係合凸部９０を第１係合溝８２および第３係合溝８６に係合し、第２係合凸部９２を第２係合溝８４および第４係合溝８８に係合した後、サイドカバー８０、８１を上下に微調整し、その後、ねじ９４によりサイドカバー８０、８１をシャーシ６４に組み付けるようにしている。
【００３８】
本実施の形態によれば、フロントカバー６４の第１係合溝８２とリアカバー６６の第３係合溝８６をシャーシ６８の第１係合凸部９０に係合することでフロントカバー６４およびリアカバー６６をシャーシ６８に仮止めすることができるので、筐体１２の組み立て作業性の向上を図る上で有利となる。
また、サイドカバー８０の第２係合凸部９２をフロントカバー６４の第２係合溝８４とリアカバー６６の第４係合溝８８に係合することでフロントカバー６４とリアカバー６６とを互いに近づく方向に変位させ、それらをサイドカバー８０、８１の幅方向において位置決めできるので、フロントカバー６４およびリアカバー６６とサイドカバー８０、８１との間に生じる隙間を抑制することができることは無論のこと、この状態でねじ９４によりサイドカバー８０、８１をシャーシ６４に組み付けることができるので、筐体１２の外観性を高め、塵埃の筐体１２内部への侵入を防止する上で有利となり、また、筐体１２の組み立て作業性の向上を図る上で有利となる。
【００３９】
また、本実施の形態では、図２４、図２５、図２７に示すように、サイドカバー８０、８１は、フロントカバー６４の側面部６４０４の後部６４０４Ｂと、リアカバー６６の側面部６６０４の前部６６０４Ｂとにわたってそれらの上に配置され、左右の側面１２１０は、フロントカバー６４の側面部６４０４の前部６４０４Ａと、リアカバー６６の側面部６６０４の後部６６０４Ａと、サイドカバー８０、８１とで構成されるので、フロントカバー６４およびリアカバー６６とサイドカバー８０、８１との間に隙間は存在せず、筐体１２の外観性をより一層高め、塵埃の筐体１２内部への侵入を防止する上でより一層有利となる。
【００４０】
なお、本実施の形態では、第１乃至第４係合溝や第１、第２係合凸部、サイドカバーから構成される筐体の側面が、左右の側面の２つである場合について説明したが、本発明は筐体の複数の側面のうちの少なくとも１つの側面について適用されるものである。
また、本実施の形態では、撮像装置がデジタルスチルカメラである場合について説明したが、本発明は、ビデオカメラ、その他種々の撮像装置などに適用可能であることは無論のこと、カメラ付きの携帯電話機、ＰＤＡ（パーソナルデジタルアシスタント）やノートパソコンなどに広く適用可能である。
【図面の簡単な説明】
【００４１】
【図１】第１の実施の形態の撮像装置１０を前方から見た斜視図である。
【図２】（Ａ）は撮像装置１０を後方から見た斜視図、（Ｂ）は撮像装置１０にコネクタが装着された状態を示す斜視図である。
【図３】撮像装置１０の構成を示すブロック図である。
【図４】開閉蓋４６の取り付け構造を示す分解斜視図である。
【図５】開閉蓋４６の取り付け構造を示す分解斜視図である。
【図６】（Ａ）は開閉蓋４６の閉塞状態を示す斜視図、（Ｂ）は開閉蓋４６の開放状態を示す斜視図である。
【図７】開閉蓋４６の閉塞状態と第１の開放状態を示す図である。
【図８】開閉蓋４６の閉塞状態と第２の開放状態を示す図である。
【図９】（Ａ）は第１の比較例を示す図、（Ｂ）は第２の比較例を示す図、（Ｃ）は第３の比較例を示す図である。
【図１０】撮像装置１０のバッテリー収容室６０近傍の斜視図である。
【図１１】図１０のＡＡ線断面図である。
【図１２】バッテリー押し出しばね６２の組み付け構造を示す斜視図である。
【図１３】バッテリー押し出しばね６２の組み付け構造を示す斜視図である。
【図１４】（Ａ）はバッテリー押し出しばね６２の斜視図、（Ｂ）は（Ａ）のＢ矢視図、（Ｃ）は（Ｂ）のＣ矢視図、（Ｄ）は（Ｂ）のＤ矢視図、（Ｅ）は（Ｄ）のＥ矢視図である。
【図１５】バッテリー収容室６０にバッテリー５８が挿入される途中の状態を示す斜視図である。
【図１６】バッテリー収容室６０にバッテリー５８が収納された状態を示す説明図である。
【図１７】（Ａ）乃至（Ｃ）はバッテリー押し出しばね６２の変位を示す説明図である。
【図１８】フロントカバー６４、リアカバー６６、サイドカバー８０が取り付けられる前の状態を示す撮像装置１０の斜視図である。
【図１９】図１８の要部拡大斜視図である。
【図２０】シャーシ６８にフロントカバー６４、リアカバー６６が仮止めされた状態を左側方から見た斜視図である。
【図２１】図１９の要部拡大斜視図である。
【図２２】シャーシ６８にフロントカバー６４、リアカバー６６が仮止めされた状態を右側方から見た斜視図である。
【図２３】シャーシ６８にフロントカバー６４、リアカバー６６、サイドカバー８０が取り付けられた状態を示す斜視図である。
【図２４】図２３をＡＡ線で破断した状態を示す図である。
【図２５】図２３をＢＢ線で破断した状態を示す図である。
【図２６】シャーシ６８にフロントカバー６４、リアカバー６６が仮止めされた状態を示す断面図である。
【図２７】シャーシ６８にサイドカバー８０が取り付けられた状態を示す断面図である。
【符号の説明】
【００４２】
１０……撮像装置、１２……筐体、１２０２……前面、１２０４……後面、１２１０……側面、６４……フロントカバー、６４０２……前面部、６４０４……側面部、６６……リアカバー、６６０２……後面部、６６０４……側面部、６８……シャーシ、８０……サイドカバー、８２……第１係合溝、８４……第２係合溝、８６……第３係合溝、８８……第４係合溝、９０……第１係合凸部、９２……第２係合凸部、９４……ねじ。
【図１】
0004591779.tif 000002
【図２】
0004591779.tif 000003
【図３】
0004591779.tif 000004
【図４】
0004591779.tif 000005
【図５】
0004591779.tif 000006
【図６】
0004591779.tif 000007
【図７】
0004591779.tif 000008
【図８】
0004591779.tif 000009
【図９】
0004591779.tif 000010
【図１０】
0004591779.tif 000011
【図１１】
0004591779.tif 000012
【図１２】
0004591779.tif 000013
【図１３】
0004591779.tif 000014
【図１４】
0004591779.tif 000015
【図１５】
0004591779.tif 000016
【図１６】
0004591779.tif 000017
【図１７】
0004591779.tif 000018
【図１８】
0004591779.tif 000019
【図１９】
0004591779.tif 000020
【図２０】
0004591779.tif 000021
【図２１】
0004591779.tif 000022
【図２２】
0004591779.tif 000023
【図２３】
0004591779.tif 000024
【図２４】
0004591779.tif 000025
【図２５】
0004591779.tif 000026
【図２６】
0004591779.tif 000027
【図２７】
0004591779.tif 000028